(57)【要約】【課題】建家の屋根面に滑雪シートを簡便に取り付けでき、しかも確実に緊張状態で保持されて屋根面に降雪する雪を滑雪排除する滑雪装置を提供すること。【解決手段】滑雪シート１と、滑雪シート１の両軒先側端縁の要所から延出されるロープ２と、ロープ２に巻取具４を介して接合される重し７とから成る。  このほか、ロープ２に丸太３を接合したり、滑雪シート１の両軒先側端縁に補強材１３を内設し、その近傍内面にクッション材１４を配設したもの、両妻側端縁の要所に固定片１１が配設されたものが提供される。【選択図】図１
2007217983.tif 000002
【特許請求の範囲】
【請求項１】
建家の屋根面に被覆されてその表面に降雪する雪が滑り落とされる滑雪シートと、該滑雪シートの両軒先側端縁の要所から延出される連結体と、該連結体に緊張具を介して接合される緊張体とから成る滑雪装置。
【請求項２】
滑雪シートの要所から延出される連結体を中間重錘に接合して成る請求項１記載の滑雪装置。
【請求項３】
前記滑雪シートの両軒先側端縁に補強材が内設されるとともに、その近傍内面にクッション材が配設されて成る請求項１又は２記載の滑雪装置。
【請求項４】
前記滑雪シートの両妻側端縁の要所に固定片が配設されて成る請求項１乃至３記載の何れか１項記載の滑雪装置。
【発明の詳細な説明】
【技術分野】
【０００１】
本発明は、積雪寒冷地において使用され、建家の屋根面に降雪する雪を自然に滑り落として排除する滑雪装置に関する。
【背景技術】
【０００２】
上記滑雪技術としては、実開昭６２−１９００６１号公報（特許文献１）に提案されているが、屋根面への簡便な取り付け技術が未解決なものである。
【特許文献１】実開昭６２−１９００６１号公報
【発明の開示】
【発明が解決しようとする課題】
【０００３】
本発明は、建家の屋根面に滑雪シートを簡便に取り付けでき、緊張状態で保持されて屋根面に降る雪を滑雪排除する滑雪装置を提案する。
【課題を解決するための手段】
【０００４】
本発明の請求項１に記載した滑雪装置は、建家の屋根面に被覆されてその表面に降雪する雪が滑り落とされる滑雪シートと、該滑雪シートの軒先側両端の要所から延出される連結体と、該連結体に緊張具を介して接合される緊張体とから成る。
請求項２に記載した発明は、請求項１に記載した滑雪装置において、滑雪シートの要所から延出される連結体を中間重錘に接合して成る。
請求項３記載の発明は、請求項１又は２記載の滑雪装置において、前記滑雪シートの両軒先側端縁に補強材が内設されるとともに、その近傍内面にクッション材が配設されて成る。
請求項４記載の滑雪装置は、請求項１乃至３記載の何れか１項記載の滑雪装置において、前記滑雪シートの両妻側端縁の要所に固定片が配設されて成る。
【発明の効果】
【０００５】
建家の屋根面に造作を加えることなく被覆される滑雪シートは、中間重錘や緊張具を介して重しなどの緊張体に連結され緊張状態が保持されるから風で飛ばされることもなく、滑雪シートの両妻側の要所に設ける固定片が建家の破風に固定されるから、滑雪シートの裏面と屋根面との間に適度な風の通過を許容して滑雪シートにあおりを発現させるとともに、緊張による滑雪シートの表面の摩擦係数の有効化によって自然滑雪が促進される効果がある。
【発明を実施するための最良の形態】
【０００６】
滑雪シートは、両妻側の端縁近傍及びこれに平行な複数個所にロープやワイヤーなどの連結体を付設してその両端を両軒先側端縁より所要に延出するとともに、両軒先側端縁の要所に設けた鳩目に所要長の連結体を結合したもの、或いは両軒先側端縁に向けて多数のロープやワイヤーなどの連結体を内設して、その両端を軒先側端縁より所要長延出したもの、両軒先側端縁に設けた多数の鳩目に所要長のロープやワイヤーなどの連結体を延出したもの、両軒先側端縁に補強材を内蔵したり端縁近傍の内面にクッション材を設けたものが提供され、中間重錘は丸太や鉄管などが選択され、緊張具はターンバックルやラチェット式の一方向の巻取具などであり、緊張体は所要重量のコンクリートブロックによる重しや地中に埋設するアンカーなどで提供される。
【実施例】
【０００７】
本発明を実施例により説明すると、図１に示す滑雪装置Ａは、建家の両妻側に渡る長さと両軒先より所要に垂下される幅で屋根全面に被覆される滑雪シート１は、両妻側端縁近傍と中間の２個所に所要強度の連結体としてのロープ２が付設され、そのロープ２の各両端は軒先側端縁より所要長延出されて中間重錘としての丸太３に巻き付けた上、その下端に緊張具としてのラチェット式の巻取具４の金具本体５が接続固定される。ラチェット(図外)に巻き付けられた緊張ロープ６の一端はコンクリートブロックによる重し７に接続され、他端は緊張引き手８として緊張時に引き込まれ、緊張を解放するときは解放紐９が引き上げられる。
両軒先側端縁に配設された鳩目１０には連結体としてのロープ２がその一端で接合され他端が丸太３に連結され、両妻側端縁の要所に取り付けた固定片１１が建家の両妻側の破風１２にビスや止めピンなどで着脱自在に固定される。
【０００８】
このようにして成る滑雪装置Ａは巻取具４によって滑雪シート１の緊張の度合いが簡便に調節できるから、両妻側から吹き込むあおり風によるあおり状態を適度に保持でき、その結果、滑雪シート１の表面に降雪する雪は摩擦係数の小さい滑り面とあおり風との相乗効果によって自然滑雪が促される。
【０００９】
図２に示した滑雪装置Ｂ、Ｃについて説明すると、分図（ａ）に示す滑雪装置Ｂは、滑雪シート１の両妻側端縁が前記の固定片１１を介して破風１２に着脱自在に固定され、両軒先側では図３に示すように、両妻側端縁のロープ２が両軒先側端縁より延出されてその下端に巻取具４の金具本体５が接続固定され、巻取具４のラチェットに巻き付けられた緊張ロープ６の一端は重し７に接続され他端は緊張引き手８として緊張時に引き込まれ、緊張解放には金具本体５の上部から垂下される解放紐９が引き上げられる。
両軒先側端縁の各鳩目１０に接続されたロープ２の下端は丸太３に接続され、丸太３に垂下されたロープ２の下端は巻取具４の金具本体５に接続され、巻取具４のラチェットに巻き付けられた緊張ロープ６の一端は重し７に接続され他端は緊張引き手として緊張時に引き込まれ、緊張解放には金具本体５の上部から垂下される解放紐９が引き上げられる。
【００１０】
このようにして成る滑雪装置Ｂは、両妻側端縁では巻取具４に接続されるロープ２を介して滑雪シート１が緊張され、中間部では丸太３を介して巻取具４によって滑雪シート１が緊張される。このほか、滑雪シート１の両軒先側端縁には図８に示すように棒状の補強材１３が巻き込まれて端部の強度が増強され、鳩目１０の上方近傍内面にはクッション材１４が内設されて軒先部との接触面が保護される。
【００１１】
図２の分図（ｂ）に示す滑雪装置Ｃについて説明すると、滑雪シート１の両妻側端縁は前記と同様に各固定片１１が破風１２に着脱自在に固定され、両軒先側では図４に示すように、鳩目１０にはロープ２の一端が接続され、各他端は丸太３に接続され、丸太３に接続されたロープ２の他端に巻取具４の金具本体５が接続され、巻取具４のラチェットに巻き付けられた緊張ロープ６の一端は重し７に接続され他端は緊張引き手８として緊張時に引き込まれ、緊張解放には金具本体５の上部から垂下される解放紐９が引き上げられる。
【００１２】
このようにして成る滑雪装置Ｃは、丸太３に接続されるロープ２を介して巻取具４に接続された緊張ロープ６の緊張引き手８によって滑雪シート１が緊張され、緊張解放にはラチェットの解放端にその一端が接続され、他端を金具本体５の上部から垂下される解放紐９が引き上げられる。両軒先側端縁には図８に示すような棒状の補強材１３が巻き込まれ、鳩目１０の上方近傍内面にはクッション材１４が内設される。
【００１３】
図５に示した滑雪装置Ｄについて説明すると、滑雪シート１は図６に示すように、左右の両軒先側端縁に沿って１１列に連結体としてのロープ２が付設され、それぞれの両端が両軒先側端縁より延出されて端部にリング１５が接合され、両妻側端縁にはそれぞれ固定片１１が配設される。
この滑雪シート１は建家の屋根面に被覆され両軒先側端縁から延出されるロープ２がリング１５を介して丸太３に植設されたフック１６に係着され、丸太３から垂下されたロープ２は巻取具４の金具本体５に接続され、巻取具４のラチェットに巻き付けられた緊張ロープ６の一端は地中に埋設されたアンカー１７に接続され、他端は緊張引き手８として緊張時に引き込まれ、緊張解放には金具本体５の上部から垂下される解放紐９が引き上げられる。
このように、両軒先側において滑雪シート１は巻取具４によってアンカー１７に固定された後、両妻側の固定片１１が建家の破風１２に着脱自在に固定される。
図７に示すように、滑雪装置Ａ乃至Ｄにおいて屋根面の棟部１８や傾斜面の雪止め金具１９に対し、断面逆碗型状の保護覆い２０を被蓋して滑雪シート１を緊張し破損しないように配慮される。
このほか、本実施例で示した連結体としてのロープ２に代えてワイヤーの使用もあり、この場合にはワイヤーの緊張に係る部位にはネジ棒が接合され緊張具としてターンバックルが用いられる。
【産業上の利用可能性】
【００１４】
本発明の滑雪装置はその構成部材が滑雪シート、連結体としてロープやワイヤー、緊張具としてターンバックルやラチェットの巻取具、中間重錘として丸太や鉄管、緊張体として重しやアンカーなどと多岐の産業分野に及び、既存の建家の雪対策としてその需要が期待されるほか、新築住宅における雪対策手段としても提供される。
【図面の簡単な説明】
【００１５】
【図１】本発明の滑雪装置Ａを建家に施した斜視図。
【図２】本発明を建家に施した状態の正面図で、（ａ）は滑雪装置Ｂを建家に施した正面図、（ｂ）は滑雪装置Ｃを建家に施した正面図。
【図３】図２（ａ）における軒先側の中間部を省略した説明用拡大側面図。
【図４】図２（ｂ）における軒先側の中間部を省略した説明用拡大側面図。
【図５】本発明の滑雪装置Ｄを建家に施した斜視図。
【図６】滑雪装置Ｄにおける滑雪シート１の平面図。
【図７】屋根の棟部１８及び雪止め金具１９に保護覆い２０を被せた状態で滑雪シート１を被覆した説明図。
【図８】滑雪シート１の軒先側端縁の部分断面図。
【符号の説明】
【００１６】
１：滑雪シート
２：ロープ
３：丸太
４：巻取具
５：金具本体
６：緊張ロープ
７：重し
８：緊張引き手
９：解放紐
１０：鳩目
１１：固定片
１２：破風
１３：補強材
１４：クッション材
１５：リング
１６：フック
１７：アンカー
１８：棟部
１９：雪止め金具
２０：保護覆い
Ａ乃至Ｄ：滑雪装置
【図１】
2007217983.tif 000003
【図２】
2007217983.tif 000004
【図３】
2007217983.tif 000005
【図４】
2007217983.tif 000006
【図５】
2007217983.tif 000007
【図６】
2007217983.tif 000008
【図７】
2007217983.tif 000009
【図８】
2007217983.tif 000010